【手続補正書】
【提出日】令和3年11月25日(2021.11.25)
【手続補正１】
【補正対象書類名】特許請求の範囲
【補正対象項目名】全文
【補正方法】変更
【補正の内容】
【特許請求の範囲】
【請求項１】
励起パルスの後に複数のリフォーカスパルスが続くＦＳＥ（Fast Spin Echo）系のパルスシーケンスであって、前記複数のリフォーカスパルスは、前記励起パルスに続いて印加される第１のパルス群と、前記第１のパルス群に続いて印加される第２のパルス群とに少なくとも分割され、前記第１のパルス群は、各リフォーカスパルスのフリップ角が所定の高フリップ角を有するリフォーカスパルス列から構成され、前記第２のパルス群は、各リフォーカスパルスのフリップ角が前記所定の高フロップ角からフリップ角ゼロに向かって減少するリフォーカスパルス列から構成される、パルスシーケンスを設定する設定部と、
前記パルスシーケンスを被検体に印加することで、前記複数のリフォーカスパルスに夫々対応して収集される複数の磁気共鳴信号から、前記被検体の画像を生成する生成部と、
を備える磁気共鳴イメージング装置。
【請求項２】
前記設定部は、
前記複数のリフォーカスパルスが、前記第１のパルス群、第２のパルス群、及び前記第２のパルス群に続いて印加される第３のパルス群にさらに分割され、
前記第３のパルス群は、各リフォーカスパルスのフリップ角が所定の低フロップ角を有するリフォーカスパルス列から構成されるように、前記パルスシーケンスを設定する、
請求項１に記載の磁気共鳴イメージング装置。
【請求項３】
前記設定部は、
前記所定の低フロップ角がゼロ度以上５度未満となるように、前記パルスシーケンスを設定する、
請求項２に記載の磁気共鳴イメージング装置。
【請求項４】
前記設定部は、
前記所定の低フロップ角がゼロ度以上２０度未満となるように、前記パルスシーケンスを設定する、
請求項２に記載の磁気共鳴イメージング装置。
【請求項５】
前記設定部は、
前記高フリップ角を有するリフォーカスパルス列に対応する磁気共鳴信号がｋ空間の低周波領域に配置され、前記所定の低フロップ角を有するリフォーカスパルス列に対応する磁気共鳴信号がｋ空間の高周波領域に配置されるように、前記パルスシーケンスを設定する、
請求項２に記載の磁気共鳴イメージング装置。
【請求項６】
前記設定部は、
前記所定の低フロップ角を有するリフォーカスパルス列に対応する磁気共鳴信号が、ｋ空間の正又は負のいずれか一方の高周波領域に配置されるように、前記パルスシーケンスを設定する、
請求項５に記載の磁気共鳴イメージング装置。
【請求項７】
前記設定部は、
前記第２のパルス群において、各リフォーカスパルスのフリップ角が指数関数的に前記所定の高フロップ角からフリップ角ゼロに向かって減少するように、前記パルスシーケンスを設定する、
請求項１に記載の磁気共鳴イメージング装置。
【請求項８】
前記所定の高フリップ角、前記所定の低フリップ角、及び前記第１のパルス群に含まれるリフォーカスパルスの数が、ユーザ操作によって入力される入力部、をさらに備え、
前記設定部は、入力された前記所定の高フリップ角、前記所定の低フリップ角、及び前記第１のパルス群に含まれるリフォーカスパルスの数に基づいて、前記パルスシーケンスを設定する、
請求項２に記載の磁気共鳴イメージング装置。
【請求項９】
前記設定部は、
前記所定の高フリップ角、前記所定の低フリップ角、及び前記第１のパルス群に含まれるリフォーカスパルスの数に基づき、前記第２のパルス群内の各リフォーカスパルスのフリップ角が、前記所定の高フリップ角から前記所定の低フリップ角に向かって指数関数的に減少するように、前記パルスシーケンスを設定する、
請求項２に記載の磁気共鳴イメージング装置。
【請求項１０】
前記設定部は、
前記第２のパルス群において、各リフォーカスパルスのフリップ角が１８０°、９０°、０°となるように、前記パルスシーケンスを設定する、
請求項１に記載の磁気共鳴イメージング装置。
【請求項１１】
（ａ）励起パルスの後に複数のリフォーカスパルスが続くＦＳＥ（Fast Spin Echo）系のパルスシーケンスであって、
前記複数のリフォーカスパルスは、前記励起パルスに続いて印加される第１のパルス群と、前記第１のパルス群に続いて印加される第２のパルス群とに少なくとも分割され、
前記第１のパルス群は、各リフォーカスパルスのフリップ角が所定の高フリップ角を有するリフォーカスパルス列から構成され、
前記第２のパルス群は、各リフォーカスパルスのフリップ角が前記所定の高フロップ角からフリップ角ゼロに向かって減少するリフォーカスパルス列から構成され、
隣接する２つの励起パルスの間の期間として規定される１つの繰り返し期間（ＴＲ）内で、複数の位相エンコードと、前記複数の位相エンコードの夫々に対して設定される複数のスライスエンコードとが設定される、パルスシーケンス、
を設定する設定部と、
（ｂ）前記パルスシーケンスを被検体に印加することで、前記複数のリフォーカスパルスに夫々対応して収集される複数の磁気共鳴信号から、前記被検体の画像を生成する生成部と、
を備える磁気共鳴イメージング装置。
【請求項１２】
前記設定部は、
前記複数のリフォーカスパルスが、前記第１のパルス群、前記第２のパルス群、及び前記第２のパルス群に続いて印加される第３のパルス群にさらに分割され、
前記第３のパルス群は、各リフォーカスパルスのフリップ角が所定の低フロップ角を有するリフォーカスパルス列から構成されるように、前記パルスシーケンスを設定する、
請求項１１に記載の磁気共鳴イメージング装置。
【請求項１３】
前記設定部は、
前記高フリップ角を有するリフォーカスパルス列に対応する磁気共鳴信号がｋ空間の低周波領域に配置され、前記所定の低フロップ角を有するリフォーカスパルス列に対応する磁気共鳴信号がｋ空間の高周波領域に配置されるように、前記パルスシーケンスを設定する、
請求項１２に記載の磁気共鳴イメージング装置。
【請求項１４】
前記設定部は、
前記所定の低フロップ角を有するリフォーカスパルス列に対応する磁気共鳴信号が、ｋ空間の正又は負のいずれか一方の高周波領域に配置されるように、前記パルスシーケンスを設定する、
請求項１３に記載の磁気共鳴イメージング装置。
【請求項１５】
前記設定部は、
ラジアルスキャンが実行されるように、前記パルスシーケンスを設定する、
請求項１３に記載の磁気共鳴イメージング装置。
【請求項１６】
（ａ）複数の励起パルスが続くＧＲＥ（Gradient Echo）系のパルスシーケンスであって、
前記複数の励起パルスの列は、所定の期間内において、第１のパルス群と、前記第１のパルス群に続いて印加される第２のパルス群とに少なくとも分割され、
前記第１のパルス群は、各励起パルスのフリップ角が一定のフリップ角を有する励起パルス列から構成され、
前記第２のパルス群は、各励起パルスのフリップ角が前記一定のフリップ角からフリップ角ゼロに向かって減少する励起パルス列から構成される、パルスシーケンス、
を設定する設定部と、
（ｂ）前記パルスシーケンスを被検体に印加することで、前記複数のリフォーカスパルスに夫々対応して収集される複数の磁気共鳴信号から、前記被検体の画像を生成する生成部と、
を備える磁気共鳴イメージング装置。
【請求項１７】
前記設定部は、
前記複数の励起パルスが、前記第１のパルス群、前記第２のパルス群、及び前記第２のパルス群に続いて印加される第３のパルス群にさらに分割され、
前記第３のパルス群は、各励起パルスのフリップ角が所定の低フロップ角を有する励起パルス列から構成されるように、前記パルスシーケンスを設定する、
請求項１６に記載の磁気共鳴イメージング装置。
【請求項１８】
前記設定部は、
前記所定の低フロップ角がゼロ度以上５度未満となるように、前記パルスシーケンスを設定する、
請求項１７に記載の磁気共鳴イメージング装置。
【請求項１９】
前記設定部は、
前記一定のフリップ角を有する励起パルス列に対応する磁気共鳴信号がｋ空間の低周波領域に配置され、前記所定の低フロップ角を有する励起パルス列に対応する磁気共鳴信号がｋ空間の高周波領域に配置されるように、前記パルスシーケンスを設定する、
請求項１７に記載の磁気共鳴イメージング装置。
【請求項２０】
前記設定部は、
前記所定の低フロップ角を有する励起パルス列に対応する磁気共鳴信号が、ｋ空間の正又は負のいずれか一方の高周波領域に配置されるように、前記パルスシーケンスを設定する、
請求項１９に記載の磁気共鳴イメージング装置。